(57)【要約】【課題】トリプルリングレンズフィルタホルダを容易に組み立てる。【解決手段】  トリプルリングレンズフィルタホルダは前保持リング１０、中間保持リング３０及び後保持リング４０を含んでいる。前保持リングは中間保持リングの内フランジ３３に係合する後フランジ１３を有する。後保持リングは中間保持リングの外フランジ３５に係合する後フランジ４２を有する。中間保持リングの内フランジはその内フランジに形成された内傾斜面３３１を有し、前保持リングの後フランジに形成された第１の外傾斜面１３１に係合して、中間保持リングを前保持リングに対して相対的に移動させる。後保持リングの後フランジ４２はその後フランジに形成された前傾斜面４２１を有し、中間保持リングの外フランジに形成された第２の外傾斜面３５１に係合して後フランジを中間保持リングに対して相対的に移動させるようにする。【選択図】図２
2018045222.tif 000002
【特許請求の範囲】
【請求項１】
前保持リングを備え、前記前保持リングは、
前記前保持リングの後部に環状に形成され、前記前保持リングの後部から軸方向に突出する連結部と、
前記連結部の外側に環状に形成され、前記連結部の外側から径方向外方に突出する後フランジとを有し、前記後フランジは、
外面と、
前面と、
後面と、
前記後フランジの前記後面及び前記外面間に形成され、前記前保持リングの前記後部から斜め外方に延びる第１の外傾斜面とを有し、
弾性を有し、前記前保持リングの周縁に環状に装着される中間保持リングを備え、前記中間保持リングは、
径方向に延びて外端縁及び内端縁を有する肩部と、
前記肩部の外端縁から前記中間保持リングの前部まで軸方向に延びるスリーブ部と、
前記スリーブ部の内側に形成され、前記スリーブ部の内側から径方向内方に延び、前記前保持リングの前記後フランジに係合する内フランジとを有し、前記内フランジは、
内面と、
前面と、
後面と、
前記内フランジの前記前面及び前記内面間に形成され、前記中間保持リングの後部から斜め外方に延びる内傾斜面とを有し、前記中間保持リングは、
前記肩部の前記内端縁から前記中間保持リングの後部まで軸方向前方に延びる当接部と、
前記当接部の外面に環状に形成され、前記当接部の外面から径方向外方に延びる外フランジとを備え、前記外フランジは、
外面と、
前面と、
後面と、
前記外フランジの前記後面及び前記外面間に形成され、前記中間保持リングの前記後部から斜め前方に延びる第２の外傾斜面とを有し、
弾性を有し、前記中間保持リングの前記肩部の周縁に環状に装着される後保持リングを備え、前記後保持リングは、
前記後保持リングの後部に環状に形成され、前記後保持リングの後部から軸方向に延びる位置決め部と、
前記位置決め部の内側に環状に形成され、前記位置決め部の内側から径方向内方に延び、前記中間保持リングの前記外フランジに係合する後フランジとを有し、前記後フランジは、
内面と、
後面と、
前記後フランジの前記内面に連結され、前記後フランジの前部に面し、前記後フランジの前記内面から斜め前方に延びる前傾斜面とを有することを特徴とするトリプルリングレンズフィルタホルダ。
【請求項２】
前記前保持リングはさらに前記連結部分の内側に形成され、前記連結部分の内側から半径径方向内方に突出する制限フランジを有し、
前記トリプルリングレンズフィルタホルダはさらに前記前保持リングの前記連結部に着脱自在に装着される圧縮リングを備え、第１のレンズが前記圧縮リング及び前記前保持リングの前記制限フランジ間に保持され、
当接部はさらに前記肩部の前記内端縁に連結される連結端縁を有し、第２のレンズが前記前保持リングの前記制限フランジ及び前記中間保持リングの前記当接部の前記連結端縁間に保持されることを特徴とする請求項１記載のトリプルリングレンズフィルタホルダ。
【請求項３】
前記前保持リングは前記前保持リングの内部に環状に形成された雌螺子部を有し、
前記後保持リングの前記位置決め部は前記位置決め部の周縁に環状に形成される雄螺子部を有することを特徴とする請求項２記載のトリプルリングレンズフィルタホルダ。
【請求項４】
前記圧縮リングは前記圧縮リングの外リング面に環状に形成される雄螺子部を有して前記前保持リングの前記連結部に係合することを特徴とする請求項３記載のトリプルリングレンズフィルタホルダ。
【請求項５】
潤滑剤が前記前保持リング及び前記中間保持リングの前記スリーブ部間及び前記後保持リング及び前記中間保持リングの前記当接部間に添加されることを特徴とする請求項１乃至請求項４の何れか１項記載のトリプルリングレンズフィルタホルダ。
【請求項６】
前記第２のレンズは接着剤によって前記中間保持リングに接着されることを特徴とする請求項２乃至請求項４の何れか１項記載のトリプルリングレンズフィルタホルダ。
【発明の詳細な説明】
【技術分野】
【０００１】
本発明は、レンズフィルタホルダに関し、特に組み立てが容易なトリプルトリプルリングレンズフィルタホルダに関する。
【背景技術】
【０００２】
フィルタレンズは写真撮影のためのレンズの前に装着され、レンズ保護の他に、異なる波長の光を選択的に吸収して写真撮影作品の画像に特殊効果を付加する補助装置である。
【０００３】
従来の複数のレンズ用レンズホルダは連結フレーム、第１の枢動フレーム及び第２の枢動フレームを順次枢動可能に連結して構成されている（例えば特許文献１参照）。偏光フィルタは第１の枢動フレーム及び第２の枢動フレームの内側にそれぞれ確実に取り付けることができる。ユーザは第１の枢動フレーム及び第２の枢動フレームに外付けされた摺動スリーブを利用して、第１の枢動フレーム又は第２の枢動フレームを駆動して偏光度を調整することができる。
【先行技術文献】
【特許文献】
【０００４】
【特許文献１】特開平１０−９０７５３
【発明の概要】
【発明が解決しようとする課題】
【０００５】
しかしながら、従来のレンズフィルタホルダでは、第１の枢動フレーム及び第２の枢動フレームの外側に形成された外連結フランジの断面と、連結フレーム及び第１の枢動フレームの内側に形成された内連結フランジの断面との両方が矩形であり、かつ組立時に外連結フランジ及び内連結フランジが互いに係合して互いに相対的に摺動可能に移動するその内連結フランジ及び外連結フランジ間に案内構造が形成されていないという課題を有している。さらに悪い状況下では、連結フレーム、第１の枢動フレーム及び第２の枢動フレームが全く組み立てられないことがある。
【０００６】
本発明の目的は、フランジ上に形成された案内傾斜面によって当該フランジ間で係合するトリプルリングレンズフィルタホルダ及び当該トリプルリングレンズフィルタホルダの容易な組立を提供することである。
【課題を解決するための手段】
【０００７】
上記の目的を達成するために、本発明のトリプルレンズフィルタホルダは前保持リング、中間保持リング及び後保持リングを含んでいる。
【０００８】
前保持リングは連結部及び後フランジを有する。
【０００９】
連結部は前保持リングの後部に環状に形成され、前保持リングの後部から軸方向に突出している。
【００１０】
後フランジは連結部の外側に形成され、連結部の外側から径方向外方に突出し、外傾斜面と、前面と、後面と、第１の外傾斜面とを有する。
【００１１】
第１の外傾斜面は後フランジの後面及び外面間に形成され、前保持リングの後部から斜め外方に延びている。
【００１２】
中間保持リングは弾性を有し、前保持リングの周縁に環状に装着され、肩部と、スリーブ部と、内フランジと、当接部と、外フランジとを有する。
【００１３】
肩部は径方向に延び、外端縁及び内端縁を有する。
【００１４】
スリーブ部は肩部の外端縁から中間保持リングの前部まで軸方向に延びている。
【００１５】
内フランジはスリーブ部の内側に形成され、リーブ部の内側から径方向内方に延び、前保持リングの後フランジに係合し、内面と、前面と、後面と、内傾斜面とを有する。
【００１６】
内方傾斜面は内フランジの前面及び内面間に形成され、中間保持リングの後部から斜め外方に延びている。
【００１７】
当接部は肩部の内端縁から中間保持リングの後部まで軸方向前方に延びている。
【００１８】
外フランジは当接部の外面に環状に形成され、当接部の外面から径方向外方に延び、外面と、前面と、後面と、第２の外傾斜面とを有する。
【００１９】
第２の外傾斜面は外フランジの後面及び外面間に形成され、中間保持リングの後部から斜め前方に延びている。
【００２０】
後保持リングは弾性を有し、中間保持リングの肩部の周縁に環状に装着され、位置決め部及び後フランジを有する。
【００２１】
位置決め部は後保持リングの後部に環状に形成され、後保持リングの後部から軸方向に延びている。
【００２２】
後フランジは位置決め部の内側に環状に形成され、位置決め部の内側から径方向内方に延び、中間保持リングの外フランジに係合し、内面と、後面と、前傾斜面とを有する。
【００２３】
前傾斜面は後フランジの内面に連結され、後フランジの前部に面し、後フランジの内面から斜め前方に延びている。
【００２４】
上記のトリプルリングレンズフィルタホルダの構造によれば、中間保持リングのスリーブ部が前保持リングの周縁に環状に装着されるとき、中間保持リングの内フランジの内傾斜面が前保持リングの後フランジの第１の外傾斜面に当接し、中間保持リングを案内して前保持リングに対して相対的に移動させるようにし、後保持リングが中間保持リングの肩部の周縁に環状に装着されたとき、後保持リングの後フランジの前部傾斜面が中間保持リングの外フランジの第２の外傾斜面に当接し、後保持リングを案内して中間保持リングに対して相対的に移動させるようにする。これにより、トリプルリングレンズフィルタホルダを容易に組み立てることができる。
【００２５】
本発明の他の目的、利点及び新規な特徴は図面と併せて以下の詳細な説明から明らかになる。
【図面の簡単な説明】
【００２６】
【図１】図１は本発明にしたがうトリプルリングレンズフィルタホルダの分解断面側面図である。
【図２】図２は図１におけるトリプルリングレンズフィルタホルダの部分拡大断面側面図である。
【図３】図３は図１におけるトリプルリングレンズフィルタホルダの部分拡大分解断面側面図である。
【発明を実施するための形態】
【００２７】
以下、本発明のトリプルリングレンズフィルタホルダにおける好適な実施の形態について図面を参照して詳細に説明する。
【００２８】
図１を参照するに、本発明にしたがうトリプルリングレンズフィルタホルダは前保持リング１０と、圧縮リング２０と、中間保持リング３０と、後保持リング４０とを含んでいる。
【００２９】
図２及び図３を参照するに、前保持リング１０は連結部１１と、制限フランジ１２と、後フランジ１３と、雌螺子部１４とを有する。連結部１１は前保持リング１０の後部に環状に形成され、前保持リング１０の後部から軸方向に突出し、前保持リング１０の後部に対面する後端縁を有する。制限フランジ１２は連結部１１の内側に環状に形成され、連結部１１の内側から径方向内方に突出し、連結部１１の後端縁に隣接している。後フランジ１３は連結部１１の外側に形成され、連結部１１の外側から径方向外方に突出し、外傾斜面１３２と、前面１３３と、後面１３４と、第１の外傾斜面１３１とを有する。前面１３３は前保持リング１０の前部に面している。後面１３４は前保持リング１０の後部に面している。第１の外傾斜面１３１が後面１３４及び外傾斜面１３２間に形成され、前保持リング１０の後部から前部に斜め外方に延びている。雌螺子部１４は前保持リング１０の内部に環状に形成されている。防塵カバーは前保持リング１０の前部に組み込むことができ、雌螺子部に係合することによってトリプルリングレンズフィルタホルダを覆うようにすることができる。
【００３０】
圧縮リング２０は前保持リング１０の連結部１１に着脱自在に装着されている。第１のレンズ５１が圧縮リング２０と前保持リング１０の制限フランジ１２との間に保持されている。具体的には、圧縮リング２０はその圧縮リング２０の外リング面に環状に形成されて前保持リング１０の連結部１１に係合する雄螺子部２１を有する。
中間保持リング３０は弾性を有し、前保持リング１０の周縁に環状に装着され、肩部３１、スリーブ部３２、内フランジ３３、当接部３４及び外フランジ３５を有する。
【００３１】
肩部３１は径方向に延び、外端縁３１１及び内端縁３１２とを有する。
【００３２】
スリーブ部３２は外端縁３１１から中間保持リング３０の前部まで軸方向に延びている。内フランジ３３はスリーブ部３２の内側に環状に形成され、スリーブ部３２の内側から径方向内方に延びており、内面３３２と、前面３３３と、後面３３４と、内傾斜面３３１とを有する。前面３３３は中間保持リング３０の前部に面している。後面３３４は中間保持リング３０の後部に面している。内傾斜面３３１は内フランジ３３の前面３３３と内面３３２との間に形成され、中間保持リング３０の後部から斜め外方に延びている。
【００３３】
中間保持リング３０のスリーブ部３２が前保持リング１０の周縁に環状に装着されるとき、中間保持リング３０の内フランジ３３の内傾斜面３３１が前保持リング１０の後フランジ１３の第１の外傾斜面１３１に当接し、前保持リング１０の後フランジ１３の第１の外傾斜面１３１に沿って移動する。その一方で、中間保持リング３０の内フランジ３３が前保持リング１０の後フランジ１３を通過するまで中間保持リング３０のスリーブ部３２が徐々に上方に持ち上げられる。スリーブ部３２の弾性復元力に因り、スリーブ部３２は歪みのない状態に戻り、中間保持リング３０の内フランジ３３の前面３３３が前保持リング１０の後フランジ１３の後フランジの前面１３３に当接し、中間保持リング３０の内フランジ３３及び前保持リング１０の後フランジ１３間の当接及び係合を可能にする。潤滑剤を前保持リング１０と中間保持リング３０のスリーブ部３２との間に添加して前保持リング１０と中間保持リング３０との相対回転により発生する摩擦を低減することができる。
【００３４】
当接部３４は肩部３１の内端縁３１２から中間保持リング３０の後部まで軸方向前方に延びており、連結端縁３４１と後端縁３４２とを有している。連結端縁３４１は肩部３１の内端縁３１２に連結されている。後端縁３４２は前保持リング１０の後部に面している。第２のレンズ５２は前保持リング１０の制限フランジ１２と中間保持リング３０の当接部３４の連結端縁３４１との間に保持され、接着剤によって中間保持リング３０に接着されている。外フランジ３５は当接部３４の外面に形成され、その当接部３４の外面から径方向外方に延びており、外面３５２と、前面３５３と、後面３５４と、第２の外傾斜面３５１とを有する。前面３５３は中間保持リング３０の前部に面している。後面３５４は中間保持リング３０の後部に面している。第２の外傾斜面３５１は外フランジ３５の後面３５４と外面３５２との間に形成され、中間保持リング３０の後部から斜め前方に延びている。
【００３５】
後保持リング４０は弾性を有し、中間保持リング３０の肩部３１の周縁に環状に装着され、位置決め部４１、後フランジ４２及び雄螺子部４３を有する。位置決め部４１は後フランジ４０の後部に形成され、その後フランジ４０の後部から軸方向に延びている。後フランジ４２は位置決め部４１の内側に形成され、その位置決め部４１の内側から径方向内方に延びており、内面４２２と、後面４２３と、前傾斜面４２１とを有している。後面４２３は後フランジ４０の後部に面している。前傾斜面４２１は内面４２２に連結され、後フランジ４２の前部に面しており、後フランジ４２の内面から斜め前方に延びている。雄螺子部４３は位置決め部４１の周縁に環状に形成され、カメラレンズの前部の内側に形成された雌螺子部と噛み合って、トリプルリングレンズフィルタホルダがカメラレンズの前部に装着されるようにしている。
【００３６】
後保持リング４０が中間保持リング３０の肩部３１の周縁に環状に装着されるとき、後保持リング４０の後フランジ４２の前傾斜面４２１が中間保持リング３０の外フランジ３５の第２の外傾斜面３５１に当接し、その中間保持リング３０の外フランジ３５の第２の外傾斜面３５１に沿って移動する。一方、後保持リング４０の後フランジ４２が中間保持リング３０の外フランジ３５を通過するまで後保持リング４０の位置決め部４１が徐々に上方に持ち上げられる。後保持リング４０の位置決め部４１の弾性復元力に因り、位置決め部４１が歪みのない状態に戻り、後保持リング４０の後フランジ４２の後面４２３が中間保持リング３０の外フランジ３５の前面３５３に当接し、後保持リング４０の後フランジ４２と中間保持リング３０の外フランジ３５との間の当接及び係合を可能にする。潤滑剤が後保持リング４０と中間保持リング３０の当接部３４との間に添加して後保持リング４０と中間保持リング３０との相対回転により発生する摩擦を低減することができる。
【００３７】
本発明にしたがうトリプルリングレンズフィルタホルダ利点としては、中間保持リング３０のスリーブ部３２が前保持リング１０の周縁に装着されるとき、中間保持リング３０の内フランジ３３の内傾斜面３３１と前保持リング１０の後フランジ１３の第１の外傾斜面１３１とを用いて、中間保持リング３０と前保持リング１０とを案内して互いに相対的に移動させることができ、後保持リング４０が中間保持リング３０の肩部３１の周縁に装着されるとき、後保持リング４０の後フランジ４２の前傾斜面４２１及び中間保持リング３０の外フランジ３５の第２の外傾斜面３５１を使用して、後保持リング４０と中間保持リング３０とを案内して互いに相対的に移動させることができる。したがって、トリプルリングレンズフィルタホルダの組立時に簡素で簡便になる利点を達成することができる。
【００３８】
本発明の多くの特徴及び利点が本発明の構造及び機能の詳細と共に前述の説明において記載したが、その開示は例示的なものに過ぎない。その変更は、特に特許請求の範囲が表現している用語の広範な一般的意味によって示されるように本発明の原理内で部品の形状、大きさ、及び配置の事項について詳細に案出することができる。
【符号の説明】
【００３９】
１０・・・前保持リング
１１・・・連結部
１２・・・制限フランジ
１３・・・後フランジ
１４・・・雌螺子部
１３１・・・第１の外傾斜面
１３２・・・外傾斜面
１３３・・・前面
１３４・・・後面
２０・・・圧縮リング
２１・・・雄螺子部
３０・・・中間保持リング
３１・・・肩部
３２・・・スリーブ部
３３・・・内フランジ
３４・・・当接部
３５・・・外フランジ
３１１・・・外端縁
３１２・・・内端縁
３３１・・・内傾斜面
３３２・・・内面
３３３・・・前面
３３４・・・後面
３４１・・・連結端縁
３４２・・・後端縁
３５１・・・第２の外傾斜面
３５２・・・外面
３５３・・・前面
３５４・・・後面
４０・・・後保持リング
４１・・・位置決め部
４２・・・後フランジ
４３・・・雄螺子部
４２１・・・前傾斜面
４２２・・・内面
４２３・・・後面
５１・・・第１のレンズ
５２・・・第２のレンズ
【図１】
2018045222.tif 000003
【図２】
2018045222.tif 000004
【図３】
2018045222.tif 000005